(57)【要約】【課題】  ユーザが待ち状態時に任意の操作（例えばテレビジョン放送視聴）をしていても、読み取り待ちの終了をユーザに通知することができる再生システムを提供する。【解決手段】  光ディスク装置１にＤＶＤをセットし、ＬＯＡＤＩＮＧが終了すると、ネットワーク接続されるホームサーバ３を介して受信装置４に終了通知が送信される。受信装置４は、受信した終了通知を基に、ユーザにＬＯＡＤＩＮＧ終了を通知する。例えば、電源がオフ（スタンバイ状態）であれば電源をオンし、他チャンネルを表示中であれば外部入力に切り替える。また、チャンネルロック中であれば表示映像にＬＯＡＤＩＮＧが終了した旨のメッセージ等をＯＳＤ表示する。これにより、読み取り待ちの終了をユーザに通知することができる。【選択図】  図１
2007043406.tif 000002
【特許請求の範囲】
【請求項１】
本体にセットされた光ディスクにレーザ光を照射し、その光ディスクに記録されたデータを読み取る読取手段、および前記読取手段が読み取ったデータを出力する出力手段を備えた光ディスク装置と、
前記光ディスク装置からデータを入力する入力手段、および入力されたデータから映像を表示する表示手段を備えた受信装置と、
からなる再生システムにおいて、
前記光ディスク装置は、
前記本体に光ディスクがセットされてから前記読取手段がデータを読み取り可能となるまでの状態である初期読取状態が終了したことを検出する検出手段と、
初期読取状態が終了したことを通知する情報である終了通知を前記受信装置に送信する送信手段と、
を備え、
前記受信装置は、前記終了通知を受信する受信手段と、
前記受信手段が受信した終了通知に基づいて、初期読取状態が終了したことをユーザに通知する通知手段と、
前記表示手段が表示する映像チャンネルをロックするロック手段と、
を備え、
前記通知手段は、
前記受信手段が前記終了通知を受信した時に、当該受信装置がスタンバイ状態であればスタンバイ状態を解除し、
前記表示手段が前記光ディスク装置の出力データ以外の映像を表示中で、かつ、前記ロック手段が映像チャンネルをロック中でなければ前記光ディスク装置の映像に表示を切り換えるように前記表示手段に設定し、
前記受信手段が前記終了通知を受信した時に、前記表示手段が前記光ディスク装置の出力データ以外の映像を表示中で、かつ、前記ロック手段が表示映像チャンネルをロック中であれば、当該表示映像に前記初期読取状態が終了したことをＯＳＤ表示するように前記表示手段に設定することで初期読取状態が終了したことをユーザに通知する
再生システム。
【請求項２】
本体にセットされた光ディスクにレーザ光を照射し、その光ディスクに記録されたデータを読み取る読取手段、および前記読取手段が読み取ったデータを出力する出力手段を備えた光ディスク装置と、
前記光ディスク装置からデータを入力する入力手段、および入力されたデータから映像を表示する表示手段を備えた受信装置と、
からなる再生システムにおいて、
前記光ディスク装置は、前記本体に光ディスクがセットされてから前記読取手段がデータを読み取り可能となるまでの状態である初期読取状態が終了したことを検出する検出手段と、
初期読取状態が終了したことを通知する情報である終了通知を前記受信装置に送信する送信手段と、
を備え、
前記受信装置は、前記終了通知を受信する受信手段と、
前記受信手段が受信した終了通知に基づいて、初期読取状態が終了したことをユーザに通知する通知手段と、
を備えた再生システム。
【請求項３】
前記光ディスク装置の検出手段は、光ディスクに記録された番組本編を前記読取手段が読み取り開始したことをさらに検出し、
前記送信手段は、前記番組本編を読み取り開始したことを通知する本編開始通知をさらに送信し、
前記受信装置の受信手段は、前記本編開始通知をさらに受信し、
前記通知手段は、前記受信手段が前記本編開始通知を受信した時に、表示映像に前記番組本編を読取り開始したことをＯＳＤ表示するように前記表示手段に設定する請求項２に記載の再生システム。
【請求項４】
前記受信装置の通知手段は、前記受信手段が前記終了通知を受信した時に、当該受信装置がスタンバイ状態であればスタンバイ状態を解除することでユーザに初期読取状態が終了したことを通知する請求項２、または請求項３に記載の再生システム。
【請求項５】
前記受信装置の通知手段は、前記受信手段が前記終了通知を受信した時に、前記表示手段が前記光ディスク装置の出力データ以外の映像を表示中であれば前記光ディスク装置の映像に表示を切り換えるように前記表示手段に設定することで初期読取状態が終了したことを通知する請求項２、または請求項３に記載の再生システム。
【請求項６】
前記受信装置は、前記表示手段が表示する映像チャンネルをロックするロック手段をさらに備え、
前記受信装置の通知手段は、前記受信手段が前記終了通知を受信した時に、前記表示手段が前記光ディスク装置の出力データ以外の映像を表示中で、かつ、前記ロック手段が表示映像チャンネルをロック中であれば、当該表示映像に前記初期読取状態が終了したことをＯＳＤ表示するように前記表示手段に設定することで初期読取状態が終了したことを通知する請求項２、または請求項３に記載の再生システム。
【発明の詳細な説明】
【技術分野】
【０００１】
本発明は、ＤＶＤやＣＤ等の光ディスクに記録されているデータを読み取り、映像等を表示する再生システムに関するものである。
【背景技術】
【０００２】
従来、テレビ放送されている番組を受信し、これをＤＶＤ等の光ディスクに録画したり、光ディスクに録画されているデータ（番組）を再生する光ディスク装置が広く一般に普及している。
【０００３】
光ディスク装置においては、ＤＶＤ等の光ディスクが装着されたことを検出すると、その光ディスクに記録されているデータ（番組）を読み取り、映像や音楽の再生信号を外部に出力する。光ディスク装置には、受信装置（テレビジョン装置等）を接続し、この受信装置に上記の再生信号を入力し、映像や音楽を再生する。
【０００４】
上記のような光ディスク装置は、光ディスクが装着されてから上記再生信号を送信するまで時間がかかり（例えば１０〜１２秒）、この間ユーザは待つ必要がある。そこで、ディスクが装着されてから再生信号を受信するまでの間にテレビジョン放送の映像を表示するディスクプレーヤ一体型テレビジョン受像機が提案されている（例えば特許文献１参照）。
【０００５】
このディスクプレーヤ一体型テレビジョン受像機は、ディスクが装着されるとテレビジョン放送の映像を表示し、ディスクプレーヤから再生信号を受信するとディスクの映像を表示する。
【０００６】
また、ネットワーク接続機能を内蔵し、マルチメディア情報を表示することができるテレビジョン装置においても、通信状態によって待ち時間が発生することが多く、通信中にテレビジョン放送の映像を別の画面（ウィンドウ）で表示するマルチメディア情報表示機能を内蔵したテレビジョン装置が提案されている（例えば特許文献２参照）。
【０００７】
このマルチメディア情報表示機能を内蔵したテレビジョン装置は、通信待ち状態の時にテレビジョン放送の映像を親画面に表示、マルチメディア情報を子画面に表示する。通信完了すればマルチメディア情報を親画面に表示、テレビジョン放送の映像を子画面に表示する。
【特許文献１】特開２００５−１２３４８号公報
【特許文献２】特開平１０−１７４００６号公報
【発明の開示】
【発明が解決しようとする課題】
【０００８】
しかしながら、特許文献１では、ディスクプレーヤ一体型テレビジョン受像機において、光ディスクが装着されてから上記再生信号を送信するまでの間にテレビジョン放送を表示するものであり、例えばこの受像機に外部接続された光ディスク装置から再生信号を受信した場合に、上記のような動作をすることができなかった。
【０００９】
また、特許文献２では、通信待ち状態の時にテレビジョン放送の映像を親画面に表示、マルチメディア情報を子画面に表示する受像機であるが、待ち状態時に常に複数の画面が表示されるのは煩わしく、ユーザにとって見づらいものであった。
【００１０】
本発明はこのような従来の課題を解決しようとするものであり、ユーザが待ち状態時に任意の操作（例えばテレビジョン放送視聴）をしていても、読み取り待ちの終了をユーザに通知することができる再生システムを提供することを目的とする。
【課題を解決するための手段】
【００１１】
本発明の再生システムは、前記課題を解決するために以下の構成を備えている。
（１）本体にセットされた光ディスクにレーザ光を照射し、その光ディスクに記録されたデータを読み取る読取手段、および前記読取手段が読み取ったデータを出力する出力手段を備えた光ディスク装置と、前記光ディスク装置からデータを入力する入力手段、および入力されたデータから映像を表示する表示手段を備えた受信装置と、からなる再生システムにおいて、前記光ディスク装置は、前記本体に光ディスクがセットされてから前記読取手段がデータを読み取り可能となるまでの状態である初期読取状態が終了したことを検出する検出手段と、初期読取状態が終了したことを通知する情報である終了通知を前記受信装置に送信する送信手段と、を備え、前記受信装置は、前記終了通知を受信する受信手段と、前記受信手段が受信した終了通知に基づいて、初期読取状態が終了したことをユーザに通知する通知手段と、前記表示手段が表示する映像チャンネルをロックするロック手段と、を備え、前記通知手段は、前記受信手段が前記終了通知を受信した時に、当該受信装置がスタンバイ状態であればスタンバイ状態を解除し、前記表示手段が前記光ディスク装置の出力データ以外の映像を表示中で、かつ、前記ロック手段が映像チャンネルをロック中でなければ前記光ディスク装置の映像に表示を切り換えるように前記表示手段に設定し、前記受信手段が前記終了通知を受信した時に、前記表示手段が前記光ディスク装置の出力データ以外の映像を表示中で、かつ、前記ロック手段が表示映像チャンネルをロック中であれば、当該表示映像に前記初期読取状態が終了したことをＯＳＤ表示するように前記表示手段に設定することで初期読取状態が終了したことをユーザに通知する。
【００１２】
この構成では、光ディスク装置本体に光ディスクをセットすると、初期読み取り状態（ＬＯＡＤＩＮＧ）となる。ＬＯＡＤＩＮＧが終了すると、接続された受信装置に終了通知を送信する。受信装置は受信した終了通知を受信したとき、電源オフ（スタンバイ状態）であれば電源オン（スタンバイ解除）し、ユーザが異なるチャンネルを選択（テレビジョン放送を視聴）していた場合に、ＤＶＤの映像に（外部入力に）表示チャンネルを切り替え、ユーザが異なるチャンネルを選択し、かつチャンネルロック中であれば、当該表示映像中にＬＯＡＤＩＮＧが終了した旨のメッセージ等をＯＳＤ表示する。これにより、ユーザがＬＡＯＤＩＮＧ待ち状態時に任意の操作（例えばテレビジョン放送視聴）をしていても、ＬＯＡＤＩＮＧ終了をユーザに通知することができる。
（２）本体にセットされた光ディスクにレーザ光を照射し、その光ディスクに記録されたデータを読み取る読取手段、および前記読取手段が読み取ったデータを出力する出力手段を備えた光ディスク装置と、前記光ディスク装置からデータを入力する入力手段、および入力されたデータから映像を表示する表示手段を備えた受信装置と、からなる再生システムにおいて、前記光ディスク装置は、前記本体に光ディスクがセットされてから前記読取手段がデータを読み取り可能となるまでの状態である初期読取状態が終了したことを検出する検出手段と、初期読取状態が終了したことを通知する情報である終了通知を前記受信装置に送信する送信手段と、を備え、前記受信装置は、前記終了通知を受信する受信手段と、前記受信手段が受信した終了通知に基づいて、初期読取状態が終了したことをユーザに通知する通知手段と、を備えている。
【００１３】
この構成では、光ディスク装置本体に光ディスクをセットすると、初期読み取り状態（ＬＯＡＤＩＮＧ）となる。ＬＯＡＤＩＮＧが終了すると、接続された受信装置に終了通知を送信する。受信装置は受信した終了通知を基に、ユーザに対してＬＯＡＤＩＮＧが終了したことを通知する。これにより、ユーザがＬＡＯＤＩＮＧ待ち状態時に任意の操作（例えばテレビジョン放送視聴）をしていても、ＬＯＡＤＩＮＧ終了をユーザに通知することができる。
（３）前記光ディスク装置の検出手段は、光ディスクに記録された番組本編を前記読取手段が読み取り開始したことをさらに検出し、前記送信手段は、前記番組本編を読み取り開始したことを通知する本編開始通知をさらに送信し、前記受信装置の受信手段は、前記本編開始通知をさらに受信し、前記通知手段は、前記受信手段が前記本編開始通知を受信した時に、表示映像に前記番組本編を読取り開始したことをＯＳＤ表示するように前記表示手段に設定する。
【００１４】
この構成では、光ディスク装置が番組本編の再生を開始すると、接続された受信装置に本編開始通知を送信する。受信装置は本編開始通知を基に、本編再生を開始した旨のメッセージ等をＯＳＤ表示する。これにより、例えばＤＶＤビデオのＷＡＲＮＩＮＧ等の表示中にユーザがテレビジョン放送を視聴していたとしても、本編再生を通知することができる。
（４）前記受信装置の通知手段は、前記受信手段が前記終了通知を受信した時に、当該受信装置がスタンバイ状態であればスタンバイ状態を解除することでユーザに初期読取状態が終了したことを通知する。
【００１５】
この構成では、受信装置は初期読み取り状態の終了通知を受信したときに電源オフ（スタンバイ状態）であれば電源オン（スタンバイ解除）する。これにより、ＬＯＡＤＩＮＧ中にユーザが受信装置の電源をオフしていたとしても、電源オンされることで、ＬＯＡＲＩＮＧが終了したことを通知することができる。
（５）前記受信装置の通知手段は、前記受信手段が前記終了通知を受信した時に、前記表示手段が前記光ディスク装置の出力データ以外の映像を表示中であれば前記光ディスク装置の映像に表示を切り換えるように前記表示手段に設定することで初期読取状態が終了したことを通知する。
【００１６】
この構成では、受信装置は初期読み取り状態の終了通知を受信したときにユーザが異なるチャンネルを選択（テレビジョン放送を視聴）していた場合に、ＤＶＤの映像に（外部入力に）表示チャンネルを切り替える。表示チャンネルがＤＶＤに切り替わることでＬＯＡＤＩＮＧが終了したことを通知することができる。
（６）前記受信装置は、前記表示手段が表示する映像チャンネルをロックするロック手段をさらに備え、前記受信装置の通知手段は、前記受信手段が前記終了通知を受信した時に、前記表示手段が前記光ディスク装置の出力データ以外の映像を表示中で、かつ、前記ロック手段が表示映像チャンネルをロック中であれば、当該表示映像に前記初期読取状態が終了したことをＯＳＤ表示するように前記表示手段に設定することで初期読取状態が終了したことを通知する。
【００１７】
この構成では、受信装置は初期読み取り状態の終了通知を受信したときにユーザが異なるチャンネルを選択し、かつチャンネルロック中であれば、当該表示映像中にＬＯＡＤＩＮＧが終了した旨のメッセージ等をＯＳＤ表示する。
【発明の効果】
【００１８】
この発明によれば、光ディスク装置がＬＯＡＤＩＮＧの終了通知を受信装置に送信し、受信装置がこの終了通知を基に、ユーザに対してＬＯＡＤＩＮＧが終了したことを通知するので、ユーザがＬＡＯＤＩＮＧ待ち状態時に任意の操作（例えばテレビジョン放送視聴）をしていても、ＬＯＡＤＩＮＧ終了をユーザに通知することができ、待ち時間を有効に使うことができる。
【発明を実施するための最良の形態】
【００１９】
以下、本発明の実施形態である再生システムについて説明する。本実施形態の再生システムは、光ディスク装置が本体にセットされたＤＶＤの初期読み取り状態（ＬＯＡＤＩＮＧ）の終了通知を受信装置に送信するものであり、受信装置においてＬＯＡＤＩＮＧ終了をユーザに通知することで、ユーザが例えばテレビジョン放送を視聴していたとしても、ＬＯＡＤＩＮＧ終了を確認することができるものである。
【００２０】
図１は、この発明の実施形態である再生システムの構成を示すブロック図である。同図に示すように、この再生システムは、光ディスク装置１と、光ディスク装置１にネットワーク２を介して接続されるホームサーバ３と、ホームサーバ３にネットワーク２を介して接続される受信装置４と、を備えている。
【００２１】
光ディスク装置１は、所謂ＤＶＤレコーダ（プレーヤ）であり、放送波による映像、および音声を本体にセットされているＤＶＤ等に記録（録画）したり、ＤＶＤに記録されているデータ（録画データ）を読み取って再生する録画再生装置である。なお、この例においては、ＤＶＤレコーダについて説明するが、記録媒体はＤＶＤに限らず例えばハードディスク等であってもよい。
【００２２】
ネットワーク２は、家庭内に敷設されたＬＡＮであり、このネットワーク２を介して光ディスク装置１、ホームサーバ３、および受信装置４の間でデータの送受信を行う。
【００２３】
ホームサーバ３は、ネットワーク２に接続されている各装置とデータを送受信し、各装置の制御を行うことができる。また、光ディスク装置１からデータを受信して蓄積することができ、このデータを受信装置４に配信することができる。
【００２４】
受信装置４は、放送波（テレビ放送信号）を抽出するチューナを内蔵したテレビジョン受像機であり、ホームサーバ３から配信される映像、音声のデータを入力して当該映像を表示したり、音声を発生したりすることができる。なお、受信装置４は、光ディスク装置１と直接接続（光ケーブル等で接続）して、映像を表示したりするようにしてもよい。
【００２５】
図２は、光ディスク装置の主要部の構成を示すブロック図である。同図に示すように、この光ディスク装置１は、選択されたチャンネルの放送波を抽出するチューナ１１、受信した放送波による映像、および音声を本体にセットされているＤＶＤ１２に記録したり、ＤＶＤ１２に記録されているデータ（録画データ）を読み取って再生する記録／再生部１３、記録／再生部１３で再生された再生信号を出力する出力部１４、本体の動作を制御する制御部１５、および本体に対する入力操作を行う操作部１６を備えている。
【００２６】
チューナ１１は、抽出した選択されているチャンネルのテレビ放送信号から映像信号、音声信号を分離し、記録／再生部１３に入力する。記録／再生部１３は、チューナ１１から入力された映像信号、および音声信号をエンコードし、ビデオストリーム、およびオーディオストリームを得る。さらに、これらを所定の単位でパケット化し、多重化したシステムストリームを得る。映像信号、および音声信号のエンコードは、例えばＭＰＥＧで行われる。
【００２７】
記録／再生部１３は、このシステムストリームをＤＶＤ１２に記録（録画）する。記録／再生部１３は、レーザ光をＤＶＤ１２に照射するピックアップヘッドを有し、多重化したシステムストリームに基づいてピックアップヘッドからＤＶＤ１２に照射するレーザ光を制御することにより、チューナ１１で受信した映像および音声をこのＤＶＤ１２に録画する。
【００２８】
また、記録／再生部１３は、記録時よりも低パワーのレーザ光をＤＶＤ１２に照射し、その反射光をＤＶＤ１２に録画されている番組の映像、および音声のシステムストリームとして検出する読取も行う。さらに、記録／再生部１３は、ＤＶＤ１２から読み取ったシステムストリームをビデオストリーム、およびオーディオストリームに分離するとともに、これらをデコードして出力する。出力部１４は、記録／再生部１３でデコードされた映像信号、および音声信号を、外部の装置（受信装置４等）に出力する。この出力部１４は、本発明でいう「出力手段」および「送信手段」に相当する。なお、ホームサーバ３にネットワーク２を介して出力する場合、これらの信号を再度エンコードして所定の単位でパケット化して送信する。ホームサーバ３は光ディスク装置から出力されたデータを受信装置４に送信する。
【００２９】
操作部１６は、制御部１５に接続されており、本体に設けられた操作キーを有するとともに、図示していないリモコン装置から送信されてきた装置本体に対する制御信号を受信するリモコン受信部を有している。また、番組を録画するＤＶＤ１２は、本体に対して着脱自在である。ＤＶＤ１２を本体にセットすると、記録／再生部１３は、レーザ光をＤＶＤ１２に照射し、ＤＶＤ１２のフォーマット等を確認する初期読み取り（ＬＯＡＤＩＮＧ）を行う。このＬＯＡＤＩＮＧが終了すると、上記のように記録データが読み取り可能となる。
【００３０】
次に、図３は、受信装置の主要部の構成を示すブロック図である。同図に示すように、この受信装置４は、選択されたチャンネルの放送波を抽出するチューナ４１、光ディスク装置等の外部装置から映像信号、および音声信号を入力する入力部４２、受信した放送波および外部から入力された信号を基に、映像信号、音声信号を出力する信号処理部４３、信号処理部４３から出力された映像信号に、文字または図形が重畳して出力するＯＳＤ処理部４４、ＯＳＤ処理部４４から出力された映像信号から映像を表示する表示部４５、本体の動作を制御する制御部４６、および本体に対する入力操作を行う操作部４７を備えている。
【００３１】
チューナ４１は、上述した光ディスク装置のチューナ１１と同様に、選択されているチャンネルのテレビ放送信号から映像信号、音声信号を分離し、信号処理部４３に入力する。信号処理部４３は、チューナ４１から入力された映像信号に、映像を表示するための適切な信号処理を施し、ＯＳＤ処理部４４に出力する。また、入力部４２から入力された映像信号についても信号処理を施してＯＳＤ処理部４４に出力する。この入力部４２は、本発明でいう「入力手段」および「受信手段」に相当する。なお、信号処理部４３は、ホームサーバ３を介して、光ディスク装置１から入力部４２にパケット化されたデータが入力された場合、これをデコードして映像信号、および音声信号を抽出し、この映像信号について信号処理を施してＯＳＤ処理部４４に出力する。なお、チューナ４１、および入力部４２から入力された音声信号は、上記と同様に信号処理を施して図示しないスピーカに出力し、スピーカから音声を発する。信号処理部４３は、チューナ４１と入力部４２から入力された信号のいずれか一方について選択的にＯＳＤ処理部４４に出力する。どちらを選択して出力するかは、制御部４６によって設定される。
【００３２】
ＯＳＤ処理部４４は、入力された映像信号に文字または図形等のＯＳＤ画像を重畳して表示信号を出力する。なお、ＯＳＤ画像を重畳せ
ずに入力された映像信号をそのまま出力する場合も当然あることは言うまでもない。
【００３３】
表示部４５は、ＯＳＤ処理部から入力された映像信号から映像を表示する。表示部４５は、例えばバックライト、液晶、カラーフィルタ等からなるＬＣＤである。受信した映像信号を基に、液晶を駆動して映像を表示する。なお、ＬＣＤに限らずＣＲＴ等他の表示体であってもよい。操作部４７は、制御部４６に接続されており、本体に設けられた操作キーを有するとともに、図示していないリモコン装置から送信されてきた装置本体に対する制御信号を受信するリモコン受信部を有している。ユーザは操作部４７を用いて、チューナ４１のチャンネルを切り替えたり、表示部４５に表示する映像を入力部４２に入力される外部入力映像に切り替えたりする。また、ユーザは操作部４７を用いて、表示部４５に表示する映像をロックする指示をすることが可能である。例えばチューナ４１が現在選択しているチャンネルにロックすることができる。ユーザが操作部４７を用いて、現在の表示チャンネルにロックする指示をすると、制御部４６は、この指示に基づいて、チューナ４１に現在のチャンネルにロックする設定をし、信号処理部４３にチューナ４１からの入力映像信号のみＯＳＤ処理部４４に出力するように設定する。ユーザがロック解除を指示するまでは、このチャンネルの映像を表示部４５に表示することとなる。
【００３４】
本実施形態の再生システムにおいて、光ディスク装置１本体にＤＶＤ１２をセットすると、記録／再生部１３がＬＯＡＤＩＮＧを行う。このＬＯＡＤＩＮＧが終了すると、記録／再生部１３は、制御部１５にＬＯＡＤＩＮＧが終了した旨を送信する。制御部１５は、ＬＯＡＤＩＮＧ終了した旨を受信すると、出力部１４に、ホームサーバ３にＬＯＡＤＩＮＧ終了通知を送信するように指示する。ホームサーバ３は、ＬＯＡＤＩＮＧ終了通知を受信し、これを受信装置４の入力部４２に送信する。受信装置４の入力部４２は、ホームサーバ３から受信したＬＯＡＤＩＮＧ終了通知を制御部４６に送信す
る。制御部４６は、ＬＯＡＤＩＮＧ終了通知を受信すると以下のような動作を行う。
【００３５】
まず、受信装置４がスタンバイ状態であるかを判断する。スタンバイ状態とは、例えば表示部４５におけるバックライトが消灯、液晶駆動が停止され、省電力となった状態である。制御部４６は、スタンバイ状態であればこれを解除し、電源オンの状態とする。また、信号処理部４３が出力する映像信号がチューナ４１からの放送波である場合には、入力部４２から入力される映像に切り替える。ここで、ユーザが操作部４７を用いて、チャンネルをロックするように指示していた場合は、ＯＳＤ処理部４４に、ＬＯＡＤＩＮＧ終了した旨のメッセージ画像を重畳して出力するように設定する。
【００３６】
以上のようにして、本実施形態の再生システムにおいては、光ディスクのＬＯＡＤＩＮＧ中にユーザが任意の操作（例えばテレビジョン放送視聴）をしていても、ＬＯＡＤＩＮＧ終了を通知することができる。したがって、ユーザはＬＯＡＤＩＮＧの待ち時間を有効に使うことができる。
【００３７】
次に、光ディスク装置と受信装置の動作について詳細に説明する。図４は、光ディスク装置１の初期読み取り時の動作を示すフローチャートである。図５は、受信装置の初期読み取り時の動作を示すフローチャートである。
【００３８】
図４において、本体に光ディスクをセットすると（ｓ１１）、まずデータを送信するべき受信装置を指定する（ｓ１２）。ネットワーク２に接続されている受信装置が単一である場合にはその受信装置を指定し、複数である場合にはいずれか一つの受信装置を指定する。ユーザが予めマニュアルで指定しておいてもよいし、光ディスク装置１が自動選択するようにしてもよい。自動選択する場合は、例えばイーサネット（登録商標）アドレス、シリアルナンバ等を基準にすればよい。
【００３９】
ＬＯＡＤＩＮＧが終了すると（ｓ１３）、セットされた光ディスクがファイナライズ済みであるか否かを判断する（ｓ１４）。ファイナライズとは、マルチセッションで書き込みを行った際に追記禁止を指定してセッションクローズするものであり、この処理を行わなければ映像データの記録は終了せず、他の光ディスク装置で読み込むことができなくなってしまう。したがってファイナライズされていない光ディスクであった場合には動作を終える（ｓ１４→ｓ１５）。
【００４０】
ファイナライズされた光ディスクであると判断した場合、ホームサーバ３を介して受信装置４にＬＯＡＤＩＮＧ終了通知を送信する（ｓ１４→ｓ１６）。ＬＯＡＤＩＮＧが終了した後は、光ディスクに記録されている番組の再生を開始する（ｓ１７）。
【００４１】
その後、番組の本編が開始されたか否かを判断する（ｓ１８）。ＤＶＤビデオ等においては、記録された番組とは別にＷＡＲＩＮＧ等が最初に再生される。これらの映像を再生中は、ＵＯＰ（Ｕｓｅｒ  ＯＰｅｒａｔｉｏｎ）によって早送り等ができないようにされている。この映像の再生が終了すると番組の本編を開始することとなる。番組の本編が開始したか否かは、このＵＯＰ情報を参照することで判断できる。ＵＯＰ情報を参照し、ユーザ操作禁止状態が解除されていれば本編の再生を開始したと判断する。本編の再生が開始されたと判断した場合、本編開始通知を送信する（ｓ１９）。
【００４２】
図５において、受信装置４は、光ディスク装置１から終了通知を受信すると（ｓ２１）、スタンバイ状態であるか否かを判断する（ｓ２２）。スタンバイ状態であると判断した場合は、スタンバイ状態を解除（電源オン）する（ｓ２２→ｓ２３）。スタンバイ状態でない、つまり電源オン状態であると判断した場合は、他チャンネルを表示しているか否かを判断する（ｓ２２→ｓ２４）。他チャンネルを表示とは、光ディスク装置１からの映像信号でなく、例えばテレビジョン放送を表示している場合である。他チャンネルを表示していないと判断した場合は、動作を終える（ｓ２４→ｓ２５）。
【００４３】
他チャンネルを表示していると判断した場合は、さらにチャンネルロック中であるか否かを判断する（ｓ２４→ｓ２６）。上述したように、受信装置４はユーザの指示に応じて、現在表示しているチャンネルに表示映像をロックすることができる。チャンネルロック中であると判断した場合は、当該表示画面にＬＯＡＤＩＮＧ終了した旨のメッセージ画像をＯＳＤ表示する（ｓ２６→ｓ２７）。チャンネルロック中でないと判断した場合は、光ディスク装置１からの映像信号に表示を切り替える（ｓ２６→ｓ２８）。
【００４４】
図５に示した動作は、本編開始通知を受信する場合にも同様に行う。図５において、ｓ２１の終了通知受信に替えて本編開始通知を受信し、ｓ２７のＬＯＡＤＩＮＧ終了メッセージ画像表示に替えて本編開始メッセージ画面をＯＳＤ表示すればよい。ＷＡＲＩＮＧ等を表示中にユーザがテレビジョン放送を視聴していたとしても、本編開始を通知することができる。
【００４５】
なお、本実施形態においては、ホームサーバ３を介して終了通知を送受信した例について説明したが、光ディスク装置１と受信装置４とを直接接続（光ケーブル等で接続）して、終了通知を送受信するようにしてもよい。
【図面の簡単な説明】
【００４６】
【図１】再生システムの構成を示すブロック図
【図２】光ディスク装置の主要部の構成を示すブロック図
【図３】受信装置の主要部の構成を示すブロック図
【図４】光ディスク装置の初期読み取り時の動作を示すフローチャート
【図５】受信装置の初期読み取り時の動作を示すフローチャート
【符号の説明】
【００４７】
１−光ディスク装置
２−ネットワーク
３−ホームサーバ
４−受信装置
１１−光ディスク装置のチューナ
１２−ＤＶＤ
１３−記録／再生部
１４−出力部
１５−光ディスク装置の制御部
１６−光ディスク装置の操作部
４１−受信装置のチューナ
４２−入力部
４３−信号処理部
４４−ＯＳＤ処理部
４５−表示部
４６−受信装置の制御部
４７−受信装置の操作部
【図１】
2007043406.tif 000003
【図２】
2007043406.tif 000004
【図３】
2007043406.tif 000005
【図４】
2007043406.tif 000006
【図５】
2007043406.tif 000007